(57)【要約】【課題】文字情報を録画検索データなどとして再利用できるようにする。【解決手段】受信された文字放送信号から文字情報をデコードする文字放送用デコーダ２０と、デコーダ２０によってデコードされた文字情報を、一時記憶用のＲＡＭ２６にダウンロードする制御部２２とを備え、制御部２２が、録画するか若しくは録画しようとする録画番組の映像信号を記録媒体に録画し、ＲＡＭ２６にダウンロードされた文字情報のうち、録画番組に関する番組情報を抽出し、抽出された番組情報を録画後の再生時の映像にスーパーインポーズする文字放送受信装置において、制御部２２には、制御用のプログラムが格納されたＲＯＭ２４が設けられ、ＲＯＭ２４は、受信できる全ての放送局に関して、その放送局と、その放送局の番組情報を示すテレビ番組ガイドのうちその日に放送される最初の番組情報が表示されるページとを予め対応付けておき、それらをテーブルとして記憶している。【選択図】  図１
2008154254.tif 000002
【特許請求の範囲】
【請求項１】
映像信号と文字情報とが多重伝送される文字放送信号を受信する文字放送受信装置であって、
受信された上記文字放送信号から文字情報をデコードするデコーダと、
上記デコーダによってデコードされた文字情報を、一時記憶用のメモリ手段にダウンロードする制御部とを備え、
上記制御部が、
録画するか若しくは録画しようとする録画番組の映像信号を所定の記録媒体に録画し、
上記メモリ手段にダウンロードされた文字情報のうち、上記録画番組に関する番組情報を抽出し、
上記抽出された番組情報を録画後の再生時の映像にスーパーインポーズする文字放送受信装置において、
上記制御部には、
制御用のプログラムが格納された記憶手段が設けられ、
上記記憶手段は、
受信できる全ての放送局に関して、その放送局と、その放送局の番組情報を示すテレビ番組ガイドのうちその日に放送される最初の番組情報が表示されるページとを予め対応付けておき、それらをテーブルとして記憶していることを特徴とする文字放送受信装置。
【請求項２】
上記抽出された番組情報が該受信装置外部の記録媒体に内蔵されたメモリ手段に記憶されるようになされたことを特徴とする請求項１記載の文字放送受信装置。
【請求項３】
上記記録媒体がメモリ付きのビデオカセットであるときには、このメモリに上記録画番組に関する番組情報が記録されるようになされたことを特徴とする請求項２記載の文字放送受信装置。
【請求項４】
上記記録媒体がメモリの付いていないビデオカセットであるときには、記録テープに上記録画番組に関する番組情報が記録されるようになされたことを特徴とする請求項２記載の文字放送受信装置。
【請求項５】
上記録画番組に関する番組情報には、少なくとも録画番組のタイトルが含まれるようになされたことを特徴とする請求項１記載の文字放送受信装置。
【請求項６】
上記メモリ手段は、内蔵型若しくは別体型のものが使用されたことを特徴とする請求項１記載の文字放送受信装置。
【請求項７】
別体型の上記メモリ手段を使用するときには、上記制御部にはデータ送信部が設けられ、上記録画番組情報がこのデータ送信部を介して外部に送信できるようになされたことを特徴とする請求項１記載の文字放送受信装置。
【請求項８】
上記制御部に設けられた記憶部には受信チャネルのテレビ番組を表示するためのページ情報が予め記憶され、録画の指示若しくは録画予約がなされたときには、上記受信チャネルに対応したテレビ番組表示ページが上記ページ情報に基づいて検索されると共に、上記録画時間若しくは録画予約時間に一致したテレビ番組のタイトル情報が番組情報として記録されるようになされたことを特徴とする請求項１記載の文字放送受信装置。
【発明の詳細な説明】
【技術分野】
【０００１】
この発明は文字放送受信装置に関する。詳しくは、放送局から送られてくる文字情報のうち、特定の文字情報をダウンロードすることによって、ダウンロードされた文字情報をユーザが自由に加工し、利用できるようにしたもので、特に文字情報がテレビ番組情報であるときにはダウンロードされたテレビ番組情報のうち録画するテレビ番組のタイトルを録画番組情報として活用できるようにしたものである。
【背景技術】
【０００２】
文字放送はテレテキストと呼ばれる放送システムの一種であって、テレビション信号の垂直帰線期間の一部に、文字や図形などの文字情報（文字信号）をディジタル化して多重伝送し、受信側では多重された文字情報を復号して元の文字や図形などをモニタ（テレビ画面）上に表示できるようにしたものである。
【０００３】
この文字放送のメニューの中にはニュース、天気予報、株式情報などの他にテレビ番組ガイドなどが含まれている。このような文字放送は放送局独自の表示内容に基づいてサービスの提供が行われている。
【０００４】
例えば、特許文献１に記載のビデオテープレコーダによれば、ビデオカセットに装着されたＩＣメモリに書き込む手段を備え、メモリに一時的に記録された、番組のチャンネル、開始日時、終了時刻、タイトルなどをＩＣメモリに入力するようになされる。
【０００５】
【特許文献１】特開平６−５２６５４号公報（第２及び３頁、図１）
【発明の開示】
【発明が解決しようとする課題】
【０００６】
ところで、文字放送は通常テレビモニタに、選択したメニューの内容を表示し、これをユーザが見てその内容を確認するだけである。例えばニュース番組ではその日のニュースを画面で見て、内容を把握するだけである。天気予報も同じである。テレビ番組も電子番組ガイドとして新聞のテレビ欄と同じような使い方がなされている。したがってそのチャネル（放送局）の放送時刻と番組タイトル、場合によってはその番組内容を確認するだけである。
【０００７】
このように従来では、文字放送の内容を画面上に表示はするものの、この表示内容を積極的に加工したり、利用することは行われていない。画面上に表示された内容を確認するだけでその主たる役目が充分果たせるからである。
【０００８】
しかし、画面に表示された内容を加工したり、利用できれば、非常に便利である。例えばテレビ番組などの場合には録画した内容を検索するようなとき、録画番組のタイトルなどが同時にしかも自動的に記録されていれば、この番組タイトルを検索するだけで、目的の録画番組を簡単に把握できるからである。つまり録画内容を再生したりする作業を省くことができる。
【０００９】
そこで、この発明はこのような従来の課題を解決したものであって、文字放送の情報を加工し、利用できるようにしたものであり、特にテレビ番組を録画するようなときにはその番組タイトルを自動的に録画媒体に関連させて記録できるようにした文字放送受信装置を提供することを目的とする。
【課題を解決するための手段】
【００１０】
上述の課題を解決するため、請求項１に記載したこの発明に係る文字放送受信装置では、映像信号と文字情報とが多重伝送される文字放送信号を受信する文字放送受信装置であって、受信された文字放送信号から文字情報をデコードするデコーダと、デコーダによってデコードされた文字情報を、一時記憶用のメモリ手段にダウンロードする制御部とを備え、制御部が、録画するか若しくは録画しようとする録画番組の映像信号を所定の記録媒体に録画し、メモリ手段にダウンロードされた文字情報のうち、録画番組に関する番組情報を抽出し、抽出された番組情報を録画後の再生時の映像にスーパーインポーズする文字放送受信装置において、制御部には、制御用のプログラムが格納された記憶手段が設けられ、記憶手段は、受信できる全ての放送局に関して、その放送局と、その放送局の番組情報を示すテレビ番組ガイドのうちその日に放送される最初の番組情報が表示されるページとを予め対応付けておき、それらをテーブルとして記憶していることを特徴とする。
【００１１】
この発明では、指定した文字情報をダウンロードし、ダウンロードした特定の文字情報をインディックス情報として利用するようにしたものである。例えば文字情報がテレビ番組情報であるときには、録画するか若しくは録画しようとするテレビ番組が記録手段によって録画されると共にダウンロードされた番組情報（番組タイトル）が、ビデオカセットに取り付けられたメモリ手段（メモリＩＣやメモリカードなど）に記憶される。
【００１２】
こうすると、ビデオカセットに録画されたテレビ番組と、その番組タイトルとが互いに対応することになるから、記録されたこの番組タイトルを用いて録画の内容を簡単に検索できる。
【発明の効果】
【００１３】
この発明では文字放送の情報の一部をダウンロードしてこれを再利用できるようにしたものである。
【００１４】
これによれば、文字放送として特にテレビ番組ガイドの番組情報を、録画情報の検索情報などとして有効利用できる。この場合には、録画内容を再生して確認することなく、番組情報のみで録画内容を確認できるから、録画内容の確認作業が容易になると共に、確認作業も短時間で済むなどの実益を有する。
【００１５】
更に、記憶手段が、受信できる全ての放送局に関して、その放送局と、その放送局の番組情報を示すテレビ番組ガイドのうちその日に放送される最初の番組情報が表示されるページとを予め対応付けておき、それらをテーブルとして記憶しているようにした文字放送受信装置を提供するので、テーブルを参照することによって、直ちにその放送局でのテレビ番組の開始ページを検索できる。
【発明を実施するための最良の形態】
【００１６】
続いて、この発明に係る文字放送受信装置の一実施形態を図面を参照して詳細に説明する。この文字放送受信装置は通常ＶＴＲに内蔵されている場合が多いので、まず内蔵型の文字放送受信装置に適用した場合について説明する。
【００１７】
図１はこの発明の一実施形態である文字放送受信装置１０の一例を示す系統図であって、アンテナ１２で受信された文字放送（文字信号）はチューナ１４によって目的の放送局が受信され、復調された映像信号は記録再生部１６に供給される。記録再生部１６にはビデオカセット１８をビデオ機構部（図示はしない）に装填して、ローディングされた記録テープに映像信号を記録したり、再生したりする記録再生回路などが含まれている。
【００１８】
復調されたテレビション信号のうち文字信号は後段の文字信号用デコーダ２０に供給されて文字信号がデコードされる。デコードされた文字信号のどれを使用するかなどの指令はマイコンによる制御部２２から行われる。この制御部２２には制御プログラムが格納されたＲＯＭ(Read Only Memory)２４や、デコードされた文字情報を一時的にストアするためのＲＡＭ（Random Access Memory）２６が設けられている。
【００１９】
復号された文字信号（文字情報や図形情報）はオンスクリーンディスプレー（ＯＳＤ）２８によって映像表示信号に変換され、変換された映像表示信号はモニタ２９上に供給されて、文字情報が映像表示される。モニタ２９はテレビジョン受像機の画面が利用される。
【００２０】
上述したビデオカセット１８はメモリ付きのビデオカセットが使用される。これはカセットの内部に半導体メモリを用いたメモリＩＣ１９などが内蔵されたもので、ビデオカセット１８を記録再生部１６に装填すると、メモリＩＣ１９の接点（入出力接点）と、装置側に設けられた接点（入出力接点）２１とが接触し、制御部２２からの情報をこのメモリＩＣ１９に書き込めるようになっている。もちろん、このメモリＩＣ１９に書き込まれた情報を読み出してモニタ２９に表示することもできる。
【００２１】
録画を指示したり、文字放送を受信したりする指令は、記録再生部１６に設けられたＶＴＲ用操作キー（図示はしない）やリモコン３４を使用して入力することができる。リモコン３４を使用する場合には受信部３２を介して制御部２２に指令信号が送り込まれる。
【００２２】
図２は文字放送を受信したときの表示画面構成の一例で、図の例はテレビ番組ガイドの表示内容の具体例である。同図に示す画面３６上には受信チャネル番号や現時刻が表示されるエリア３８が設けられる他、受信した放送局名を表示するエリア４１が設けられている。この他に、実際にその放送局で放送する１日の番組ガイドが表示される。
【００２３】
図では先頭エリア４２が放送時刻を表示するエリアとなされ、この放送時刻の後のエリア４４にその放送番組のタイトル（場合によっては、番組の内容）を示す文字列が表示される。また番組情報を表示するページ番号なども表示される。ユーザはこのテレビ番組ガイド（電子番組ガイド）によって、見たい番組を検索したり、放送時刻や番組タイトルなどを確認できる。
【００２４】
従来ではこのテレビ番組ガイドの内容を確認するだけで、それ以上の使われ方はなされていない。
【００２５】
この発明ではこの文字情報をさらに利用する。文字放送としてテレビ番組ガイドを例示すれば、ユーザが現在見ているテレビ番組を録画するとき、録画モードが選択されることによって、記録再生部１６のビデオカセット１８には現在視聴しているテレビ番組が録画される。この録画処理と同時に、録画しているテレビ番組のタイトルの検索処理が、ＲＡＭ２６内のダウンロードデータを利用して実行される。
【００２６】
タイトル検索によって録画しているテレビ番組が判明したときには、その番組のタイトルが抽出される。抽出された番組タイトルは一旦例えばＲＡＭ２６の別エリアに格納することができる。抽出された番組タイトルは録画媒体に関連させて記録される。
【００２７】
録画媒体として図１に示すようなメモリ付きビデオカセットを利用する場合には内蔵されているメモリ（メモリＩＣ）１９に番組タイトルが記録される。これによって録画媒体と番組タイトルとが１対１の関係となり、メモリＩＣ１９から番組タイトルを読み出せば、この番組タイトルによって録画内容を検索できる。つまり録画された映像を再生しないでも、簡単かつ確実に、しかも短時間で録画内容を検索できる。
【００２８】
抽出された番組タイトルは、ＯＳＤ２８を介してモニタ２９に供給することによって、この番組タイトルを録画中の映像にスーパーインポーズすることができる。これによって録画中の番組のタイトルを確認することができる。もちろん、記録済みの記録テープを再生中でもメモリＩＣ１９から番組タイトルを読み出し、これをモニタ２９上にスーパーインポーズすることもできる。
【００２９】
このようなタイトル検索処理および記録処理の一実施形態を図３を参照して説明する。同図は現在見ている番組を録画するときに適用されるフローチャートである。
【００３０】
まず、受信した放送局（チャネル）の番号が例えばＲＡＭ２６内にメモリされる（ステップ６２）。次に録画モードの有無が監視され（ステップ６４）、録画スイッチがオンとなり、録画指示信号を制御部２２が取り込むと、受信チャネルのテレビ番組ガイドのうちその日に放送される最初の番組が表示されるページ（開始ページ）が検索される（ステップ６６）。
【００３１】
ここに、テレビ番組ガイドは、その放送局によって全く違ったページに格納されている場合が殆どであり、その番組開始ページがガイド画面に表示されていないケースも多い。これは文字放送の画面内容や表示内容などはそれぞれの放送局に委ねられていて統一されていないからである。また、特にヨーロッパなどでは放送局の数も数１００局以上存在することから、受信チャネルでのテレビ番組ガイドつまり番組開始ページは簡単には検索できないし、録画と同時に検索を行うことも不可能である。
【００３２】
そこで受信できる全ての放送局に対して、その放送局とその放送局でのテレビ番組開始ページを予め対応付けておき、それらをテーブルとしてＲＯＭ２４に用意しておく。こうすれば、選局された放送局が判れば、このテーブルを参照することによって、直ちにその放送局でのテレビ番組の開始ページを検索できるからである。
【００３３】
以上の理由により、図３ステップ６６では受信した放送局のチャネル番号などに基づいてそのチャネルのテレビ番組開始ページが検索される。番組開始ページが検索されても実際に録画している番組がそのページに掲載されているとは限らない。そのため、実際に録画している番組を検索するため、番組ページに表示されている放送時刻を参照して録画開始時刻に一致する時刻（一番近い放送時刻を含む）をチェックする（ステップ６８）。
【００３４】
放送時刻の表示も放送局間では統一がとれていない。例えば放送時刻を示す時分の間がコロン表示（：）であったり、単にピリオド表示（．）であったりするからである。しかし、放送時刻表示は殆どの場合４桁表示（０７００，２４１５など）であるので、この４桁表示を基準にして放送時刻の検索が行われる。
【００３５】
時刻が一致するか若しくは録画時刻よりも前の時刻であって、この録画時刻に一番近い放送時刻が存在するときには、放送時刻の表示エリア４２の後に続くエリア４４に存在する文字列が番組タイトルであると見なして、この文字列を抽出する（ステップ７０）。
【００３６】
抽出した文字列はＲＡＭ２６の別のエリアに一時的に格納し、他の条件が整ったとき（例えば録画開始時刻から１５分以上経過しているなどと言った条件）、抽出した文字列が制御部２２および接点２１を介してメモリＩＣ１９に記録される。もちろん、抽出された文字列を直ちにメモリＩＣ１９に記録するようにしてもよい。文字列にはヘッダなどを付加して記録することもできるし、放送時刻や受信チャネルを含めて記録することもできる。
【００３７】
番組開始ページに表示された放送時刻と録画開始時刻とが一致しなかったときには、番組ガイドページとして次ページが存在するかどうかを確認する（ステップ７２）。番組ガイドページがサブページ構成のときは、このサブページを次ページとして検索する。次ページが存在するときには検索ページを次ページとして、ステップ６８と同様な一致検索が実行される（ステップ７４，７６）。
【００３８】
この一致検索処理は該当時刻が存在するまで実行され（ステップ７８，７２）、一致するとステップ７０に示す番組タイトル抽出処理に遷移する（ステップ７０）。しかし録画開始時刻から２４時間以上経過しても該当時刻の存在が確認されないことも考えられるので、この場合には最後の番組ページに掲載されている放送時刻を検索時刻と見なす処理が行われる（ステップ８０）。そのときには見なされた放送時刻に関連した番組タイトルを番組情報として抽出することになる。
【００３９】
番組ページは複数のページにわたって掲載される場合が多いが、まれに１ページのみで終了することもある。そのような場合にはステップ７２において次ページが存在しないことになり、その場合にはやむを得ない処理として、ステップ８０に遷移し、最初の番組ページに掲載された最後の放送時刻に関する番組タイトルが便宜的に録画番組のタイトルとして利用される。
【００４０】
また、検索時間を２４時間以内に限定したのは、番組ガイドは複数の曜日にわたって掲載されている場合があるので、２４時間以上検索すると次の日の同じような時刻の番組タイトル（別番組である場合が多い）を抽出してしまうおそれがあるからである。
【００４１】
図３の例では現在受信中のテレビ番組を同時に録画する場合について説明してあるが、録画予約がなされているときも全く同じであって、予約時間になると指定チャネルの番組が録画されることになるから、この録画開始と同時に図３に示す処理がスタートする。そして録画時間と放送時刻が一致すれば、その番組タイトルが抽出され、そしてメモリＩＣ１９などのメモリ手段に記録されることになる。
【００４２】
図４はこの発明の他の実施形態を示す。同図は記録再生部が別体構成となされている場合であり、通常この場合の記録再生部はＶＴＲ１７である。ＶＴＲ１７にはビデオカセット３０が装填されるが、このビデオカセット３０としては上述したようにメモリ付きのビデオカセットが使用される。この例ではメモリとして後述するメモリカード（メモリラベル）４０が使用される。
【００４３】
メモリカード４０は送受信機能を有し、内部に設けられた半導体メモリに上述した番組タイトルなどが記録される。そのため、受信装置１０′の制御部２２には抽出した番組タイトルを送受信できる送受信部９６が設けられる他、送受信アンテナ９８が設けられ、メモリカード４０との通信ができるようになっている。
【００４４】
ＶＴＲ１７に対する録画指示は上述したリモコン３４を使用して行うことができる他、キーボードや受信装置１０′に接続されたパソコン（何れも図示はしない）から入力することもできる。このような別体構成の場合でもこの発明を適用できる。
【００４５】
図５はメモリ付きビデオカセット１７に適用できる補助記憶装置としてのメモリカード４０の使用例を示すもので、ビデオカセット３０の筐体に設けられた凹部３１にメモリカード４０が貼着されている。このメモリカード４０に対しては非接触式にデータのリード・ライトが行われる。
【００４６】
メモリカード４０が貼着されたビデオカセット３０がＶＴＲ１７に装着されととき、ＶＴＲ１７の内部に配設されたアンテナ（図示はしない）とビデオカセット３０に貼着されたメモリカード４０とが互いに対向するようになる。
【００４７】
メモリカード４０はＶＴＲ１７の内部に設けられたアンテナを介して内部回路と送受信できることはもちろんのこと、ＶＴＲ１７の外部、つまり送受信アンテナ９８を介して受信装置１０′との間でも送受信できる構成となされている。内部回路との送受信を行なえるようにすることによって、受信装置１０′とは関係なく単独でＶＴＲ１７を使用するときには、ＶＴＲ内部で復調された番組情報などがこのメモリカード４０に記録される。
【００４８】
メモリカード４０は図６に示すように構成されており、アンテナ４０１で受信された信号ＲＦＡは同調回路４０２および電源回路４２０に供給される。同調回路４０２では、アンテナ４０１より供給された信号ＲＦＡから所定の搬送波周波数の変調信号ＭＡＲが選択される。この同調回路４０２で得られた変調信号ＭＡＲは、増幅回路４０３で所定のレベルに増幅されてから復調回路４０４に供給される。復調回路４０４では、変調信号ＭＡＲが復調されて受信データ信号ＤＭＲとされる。受信データ信号ＤＭＲは通信制御回路４０５を介してマイコン４１０に供給される。
【００４９】
マイコン４１０には、ＲＯＭ４１１が接続されており、ＲＯＭ４１１に記憶された制御プログラムに従ってメモリカード４０の各部が制御される。また、マイコン４１０には、ＥＥＰＲＯＭ(Electrically Erasable and Programmable ReadOnly Memory)４１２が接続されており、供給された番組タイトルなどの番組情報ＥＥＰＲＯＭ４１２に記憶される。ＥＥＰＲＯＭ４１２に記憶された番組情報がマイコン４１０によって読み出されて送信データ信号ＤＭＳが生成されると、送信データ信号ＤＭＳは通信制御回路４０５を介して変調回路４０６に供給される。
【００５０】
変調回路４０６では、供給された送信デ−タ信号ＤＭＳが所定の搬送波周波数の信号に変調される。この変調回路４０６で得られた変調信号ＭＢＳは増幅回路４０７で通信に必要な信号レベルまで増幅されてからアンテナ４０１に供給されて、アンテナ４０１より搬送波周波数の変調信号ＭＢＳが送信される。
【００５１】
なお、電源回路４２０では、アンテナ４０１とＶＴＲ１７内部のアンテナ（図示はしない）との電磁結合を利用してエネルギーが取り出されて、メモリカード４０で必要とされる電力を生成することができる。
【００５２】
録画媒体としてはメモリ付きビデオカセットを例示したが、メモリのない通常のビデオカセットを使用する場合には、記録テープに番組タイトルを記録すればよい。ビデオカセットに代えてディスク状記録媒体を使用することもできる。
【００５３】
ダウンロードして利用する文字情報としては上述したテレビ番組情報以外でも考えられる。
【産業上の利用可能性】
【００５４】
本発明は、ＶＴＲに内蔵された文字放送受信装置に適用して極めて好適である。
【図面の簡単な説明】
【００５５】
【図１】この発明に係る文字放送受信装置の一実施形態を示す要部の系統図である。
【図２】テレビ番組ガイドの表示内容を示す図である。
【図３】番組検索処理例を示すフローチャートである。
【図４】この発明に係る文字放送受信装置の他の実施形態を示す要部の系統図である。
【図５】メモリ付きビデオカセットの斜視図である。
【図６】メモリラベルの構成図である。
【符号の説明】
【００５６】
１０，１０′・・・文字放送受信装置、２０・・・文字放送用デコーダ、２６・・・番組データの一時格納用メモリ、２２・・・制御部、１６・・・記録再生部、１７，１８・・・ビデオカセット、１９・・・メモリＩＣ、４０・・・メモリラベル
【図１】
2008154254.tif 000003
【図２】
2008154254.tif 000004
【図３】
2008154254.tif 000005
【図４】
2008154254.tif 000006
【図５】
2008154254.tif 000007
【図６】
2008154254.tif 000008